【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
格納式支持装置であって、
縦方向直線部及び横方向湾曲部を有する安定した拡張形態と縦方向湾曲部及び横方向直線部を有する安定したコイル状形態との間で切り換え可能な第１の双安定性部材であって、該第１の双安定性部材の拡張部は、前記第１の双安定性部材が部分的に拡張形態で及び部分的にコイル状形態の場合に、前記第１の双安定性部材のコイル状部の方向に面する凹面と、前記コイル状部の方向から外方に面する凸面と、を有する前記第１の双安定性部材と、
縦方向直線部及び横方向湾曲部を有する安定した拡張形態と縦方向湾曲部及び横方向直線部を有する安定したコイル状形態との間で切り換え可能な第２の双安定性部材であって、該第２の双安定性部材は第１層及び第２層を有し、該第１層及び第２層の少なくとも一方はオーセチック材料を具備し、前記第１層及び第２層は、前記第２の双安定性部材が部分的に拡張形態で及び部分的にコイル状形態の場合に、前記第２の双安定性部材の拡張部が前記第２の双安定性部材のコイル状部の方向に面する凸面と、該コイル状部の方向から外方に面する凹面とを有するように構成されている、前記第２の双安定性部材と、
前記拡張形態及び前記コイル状形態の両方において、前記第１の双安定性部材及び前記第２の双安定性部材の隣接する側縁部に対して取り付けられ、前記第１の双安定性部材及び前記第２の双安定性部材とは別個の少なくとも１つの可撓性締結部材と、
を具備する、格納式支持装置。
【請求項２】
前記少なくとも１つの可撓性締結部材は、拡張されたときに荷重を支持するために互いに対して適した配置へと前記第１の双安定性部材及び前記第２の双安定性部材を案内するように構成された、請求項１に記載の格納式支持装置。
【請求項３】
前記少なくとも１つの可撓性締結部材が、ヒンジ及び可撓性膜の少なくとも一方を具備する、請求項１に記載の格納式支持装置。
【請求項４】
前記第１の双安定性部材及び前記第２の双安定性部材が、前記拡張形態と前記コイル状形態との間で協働して切り替わり、前記コイル状形態のときに巻かれる、請求項１に記載の格納式支持装置。
【請求項５】
格納式支持装置を製造する方法であって、
縦方向直線部及び横方向湾曲部を有する安定した拡張形態と、縦方向湾曲部及び横方向直線部を有する安定したコイル状形態との間で切り換え可能な第１の双安定性部材を設けることと、
縦方向直線部及び横方向湾曲部を有する安定した拡張形態と縦方向湾曲部及び横方向直線部を有する安定したコイル状形態との間で切り換え可能な第２の双安定性部材を設けることと、
前記拡張形態又は前記コイル状形態のいずれかにあるときに、前記第１の双安定性部材及び前記第２の双安定性部材を、前記第１の双安定性部材及び前記第２の双安定性部材を結合するように構成された少なくとも１つの構造配置部材と結合することと、を含み、
前記第１の双安定性部材及び前記第２の双安定性部材は、互いに対して対向する横方向湾曲部関係を有し、前記第１の双安定性部材の拡張部は、前記第１の双安定性部材が部分的に拡張形態で及び部分的にコイル状形態の場合に、前記第１の双安定性部材のコイル状部の方向に面する凹面と、前記コイル状部の方向から外方に面する凸面と、を有し、前記第２の双安定性部材が部分的に拡張形態で及び部分的にコイル状形態の場合に、前記第２の双安定性部材の拡張部が前記第２の双安定性部材のコイル状部の方向に面する凸面と、前記コイル状部の方向から外方に面する凹面とを有し、前記装置は、前記第１の双安定性部材及び前記第２の双安定性部材が拡張形態にある場合に、前記第１の双安定性部材及び前記第２の双安定性部材の凸面が互いに接触するように構成されている、方法。
【請求項６】
前記第１の双安定性部材を設けることは、前記第１の双安定性部材がオーセチック材料を具備することを更に特徴とし、或いは、前記第２の双安定性部材を設けることは、前記第２の双安定性部材がオーセチック材料を具備することを更に特徴とする、請求項５に記載の方法。
【請求項７】
前記構造配置部材は可撓性封止部を有し、前記結合する工程は、前記第１の双安定性部材及び前記第２の双安定性部材が前記拡張形態にあるときに、前記可撓性封止部を、前記第１の双安定性部材及び前記第２の双安定性部材周りで係合することを含む、請求項５に記載の方法。
【請求項８】
前記第１の双安定性部材及び前記第２の双安定性部材を巻く工程を更に含む、請求項５に記載の方法。
【請求項９】
前記構造配置部材は可撓性締結部材を有し、前記結合する工程は、前記第１の双安定性部材及び前記第２の双安定性部材が前記拡張形態又は前記コイル状形態のいずれかにあるときに、前記可撓性締結部材を前記第１の双安定性部材及び前記第２の双安定性部材の隣接した側縁部に対して取り付けることを含む、請求項５に記載の方法。
【請求項１０】
格納式支持装置であって、
縦方向直線部及び横方向湾曲部を有する安定した拡張形態と縦方向湾曲部及び横方向直線部を有する安定したコイル状形態との間で切り換え可能な第１の双安定性部材と、
縦方向直線部及び横方向湾曲部を有する安定した拡張形態と縦方向湾曲部及び横方向直線部を有する安定したコイル状形態との間で切り換え可能な第２の双安定性部材と、
前記拡張形態及び前記コイル状形態の両方において、前記第１の双安定性部材及び前記第２の双安定性部材の少なくとも一部を覆い又は封止する少なくとも１つの可撓性封止部と、を具備し、
前記第１の双安定性部材及び前記第２の双安定性部材は、互いに対して対向する横方向湾曲部関係を有し、前記第１の双安定性部材の拡張部は、前記第１の双安定性部材が部分的に拡張形態で及び部分的にコイル状形態の場合に、前記第１の双安定性部材のコイル状部の方向に面する凹面と、前記コイル状部の方向から外方に面する凸面と、を有し、前記第２の双安定性部材が部分的に拡張形態で及び部分的にコイル状形態の場合に、前記第２の双安定性部材の拡張部が前記第２の双安定性部材のコイル状部の方向に面する凸面と、前記コイル状部の方向から外方に面する凹面とを有し、前記装置は、前記第１の双安定性部材及び前記第２の双安定性部材の各々が拡張形態にある場合に、前記第１の双安定性部材及び前記第２の双安定性部材の凸面が互いに接触するように構成されている、格納式支持装置。
【請求項１１】
前記第１の双安定性部材及び前記第２の双安定性部材が前記拡張形態にあるときに、前記可撓性封止部が当該格納式支持装置を耐荷重形態へと誘導する、請求項１０に記載の格納式支持装置。
【請求項１２】
前記第１の双安定性部材及び前記第２の双安定性部材のいずれかが、オーセチック材料を具備する、請求項１０に記載の格納式支持装置。
【請求項１３】
前記第１の双安定性部材及び前記第２の双安定性部材が、前記拡張形態と前記コイル状形態との間で協働して切り替わり、前記コイル状形態にあるときに巻かれる、請求項１０に記載の格納式支持装置。
【請求項１４】
前記第１の双安定性部材及び前記第２の双安定性部材が前記コイル状形態にあるときに、前記可撓性封止部が、前記第１の双安定性部材及び前記第２の双安定性部材とともに巻かれる、請求項１３に記載の格納式支持装置。
【請求項１５】
前記第１の双安定性部材及び前記第２の双安定性部材はそれぞれ、拡張形態において互いに隣接して配置される、連続で、直線的に拡張した縦方向縁部を画定する、請求項１に記載の格納式支持装置。